(57)【要約】      （修正有）【課題】１個または複数個のコーン形標示具を肩や腰に掛けて手を自由にしながら楽に運搬することのできるコーン運搬具を提供する。【解決手段】コーン形標示具を肩掛けまたは腰掛けにより運搬するためのコーン運搬具１であって、運搬作業を行う作業者の肩または腰に掛けることのできるベルト２と、このベルト２を作業者の肩または腰に掛けた状態で固定するベルト固定機構３と、ベルト２の一端部に設けられコーン形標示具のコーン部分に嵌合可能な内周径を有する標示具嵌合リング４とを有する。【選択図】図１
0003195598.tif 000002
【実用新案登録請求の範囲】
【請求項１】
コーン形標示具を肩掛けまたは腰掛けにより運搬するためのコーン運搬具であって、運搬作業を行う作業者の肩または腰に掛けることのできるベルトと、このベルトを前記作業者の肩または腰に掛けた状態で固定するベルト固定機構と、前記ベルトの一端部に設けられ前記コーン形標示具のコーン部分に嵌合可能な内周径を有する標示具嵌合リングとを有する、前記コーン運搬具。
【請求項２】
前記標示具嵌合リングが、前記コーン形標示具の重心点における外周径より大きく、かつ前記コーン部分の最大外周径より小さい内周径を有する、請求項１に記載のコーン運搬具。
【請求項３】
前記ベルト固定機構が、前記ベルトの他端部に設けられた固定用フックと、この固定用フックに掛止させるために前記ベルトの一端部側または前記標示具嵌合リングに設けられた掛止用リングとを有する、請求項１または請求項２に記載のコーン運搬具。
【考案の詳細な説明】
【技術分野】
【０００１】
本考案は、道路標識等として用いられるコーン形標示具を肩掛けまたは腰掛けにより運搬するためのコーン運搬具に関するものである。
【背景技術】
【０００２】
一般に道路上における事故処理や落下物の除去作業を行う場合、後続する自動車の運転手等にその先で作業を行っていることの注意を促すための規制を目的とした規制器材として略円錐形状に形成されたコーン形標示具の設置を行っている。
【０００３】
このコーン形標示具を道路上に設置する作業は、自動車が行き交う道路上の作業となるため、自動車と作業者との接触事故等の危険がある。特に、高速道路においては、信号機等による交通の遮断がないため、自動車が常に高速で行き交う中での危険な作業となる。そのため、道路上でのコーン形標示具の設置作業中および撤去作業中には、遠くからでも運転者が認識できるように、作業者は旗を振るなどして注意喚起しながら設置作業を行う。
【０００４】
しかし、従来、コーン形標示具はある程度重量があるため、両手で持ち上げて運搬する必要があり、運搬作業者は運搬中に旗を振ることができないという問題がある。
【０００５】
そこで、これまでにコーン形標示具自体に工夫を加えることにより片手による運搬を可能としたコーン形標示具に関する考案が提案されている。
【０００６】
例えば、特開２００９−１３８５１０号公報では、提げ手用の支持フレームを取り付けて構成された、手提げ式のコーン形標示具が提案されている（特許文献１）。この特許文献１によれば、運搬作業時には、支持フレームを起こして、手を入れて持ち上げれば簡単に運搬することができるとされている。
【先行技術文献】
【特許文献】
【０００７】
【特許文献１】特開２００９−１３８５１０号公報
【考案の概要】
【考案が解決しようとする課題】
【０００８】
しかしながら、特許文献１に記載された考案においては、片手を使用することができるため逆の手で旗を振ることは可能であるが、１回の運搬作業で１個のコーン形標示具しか運搬することができない。そのため、道路上で作業する時間や回数がコーン形標示具の数だけ生じるため作業負担が増える。
【０００９】
本考案は、このような問題点やニーズを解決するためになされたものであって、１個または複数個のコーン形標示具を肩や腰に掛けて手を自由にしながら楽に運搬することのできるコーン運搬具を提供することを目的としている。
【課題を解決するための手段】
【００１０】
本考案に係るコーン運搬具は、コーン形標示具を肩掛けまたは腰掛けにより運搬するためのコーン運搬具であって、運搬作業を行う作業者の肩または腰に掛けることのできるベルトと、このベルトを前記作業者の肩または腰に掛けた状態で固定するベルト固定機構と、前記ベルトの一端部に設けられ前記コーン形標示具のコーン部分に嵌合可能な内周径を有する標示具嵌合リングとを有する。
【００１１】
また、本考案の一態様として、前記標示具嵌合リングが、前記コーン形標示具の重心点における外周径より大きく、かつ前記コーン部分の最大外周径より小さい内周径を有するように構成することがより好ましい。
【００１２】
さらに、本考案の一態様として、前記ベルト固定機構が、前記ベルトの他端部に設けられた固定用フックと、この固定用フックに掛止させるために前記ベルトの一端部側または前記標示具嵌合リングに設けられた掛止用リングとを有するようにしてもよい。
【考案の効果】
【００１３】
本考案によれば、１個または複数個のコーン形の標示具を肩や腰に掛けて手を自由にしながら楽に運搬することができる。
【図面の簡単な説明】
【００１４】
【図１】本考案に係るコーン運搬具の一実施形態を示す図である。
【図２】他の実施形態におけるコーン運搬具を示す図である。
【図３】本実施形態のコーン運搬具におけるベルトを作業者の肩に掛けた状態を示す図である。
【図４】本実施形態のコーン運搬具におけるベルトを作業者の腰に掛けた状態を示す図である。
【図５】本実施形態におけるベルト固定機構によりベルトを固定した状態を示す図である。
【図６】本実施形態のコーン運搬具にコーン形標示具を保持させた状態を示す図である。
【図７】本実施形態のコーン運搬具にコーン形標示具を保持させて作業者が旗を振っている状態を示す図である。
【図８】本実施形態のコーン運搬具に複数個のコーン形標示具を保持させた状態を示す図である。
【考案を実施するための形態】
【００１５】
以下、本考案に係るコーン運搬具の一実施形態について図面を用いて説明する。
【００１６】
本実施形態のコーン運搬具１は、図１に示すように、コーン形標示具Ｃの運搬作業を行う作業者Ｐの肩または腰に掛けることのできるベルト２と、このベルト２を前記作業者Ｐの肩または腰に掛けた状態で固定するベルト固定機構３と、前記コーン形標示具Ｃを嵌合させる標示具嵌合リング４とを有する。
【００１７】
ベルト２は、作業者Ｐの肩または腰に掛けられるものであり、本実施形態では、ナイロン繊維を織って形成されたナイロン織物からなる。また、ベルト２には、移動カン等からなる長さ調節具２１が設けられており自在にベルト長さを調節できるようになっている。さらに、肩や腰に当接する部分には反射材２３付きのパット２２が前記ベルト２に沿って設けられている。
【００１８】
なお、ベルト２の素材は、ナイロン織物に限定されるものではなく、各種の布、皮、化繊等から適宜選択してもよい。
【００１９】
ベルト固定機構３は、作業者Ｐの肩または腰にかけられたベルト２をその状態で固定するものである。本実施形態では、前記ベルト２の一端部に設けられるラッチ３３付の固定用フック３１と、この固定用フック３１に掛止させるため前記ベルト２の他端部側に設けられる掛止用リング３２とからなる。
【００２０】
なお、ベルト固定機構３は、固定用フック３１および掛止用リング３２からなるものに限定されるものではなく、前記ベルト２の両端近傍同士を固定可能な面ファスナーやボタン、その他の固定具等から適宜選択してもよい。また、本実施形態における掛止用リング３２は、前記ベルト２の他端部側に設けられているが、図２に示すように、標示具嵌合リング４に設けられていてもよい。
【００２１】
標示具嵌合リング４は、前記ベルト２の一端部に取り付けられており、前記コーン形標示具Ｃのコーン部分ｃ１を嵌め入れることにより、前記コーン形標示具Ｃを前記ベルト２に保持するものである。本実施形態における標示具嵌合リング４は、前記コーン部分ｃ１に嵌合可能な内周径のステンレス製リングによって形成されているとともに、ビニールテープまたはゴムチューブ等の滑り止め用部材４１が巻かれている。
【００２２】
また、本実施形態における標示具嵌合リング４の内周径の大きさは、前記コーン形標示具Ｃの重心点における外周径より大きく、前記コーン部分ｃ１の最大外周径より小さい内周径に形成されている。これにより、嵌め合わされたコーン形標示具Ｃは、標示具嵌合リング４を支えとして頂部側が重くなって下がるので、より安定的に嵌め合わされることになる。
【００２３】
なお、標示具嵌合リング４は、ステンレス製のものに限定されるものではなく、リング状に形成された樹脂性リング、ロープやワイヤー等から適宜選択することができる。また、図２に示すように、ベルト２の一端部側を長さ調節具２１等によりリング状にして標示具嵌合リング４を形成してもよい。
【００２４】
次に、本実施形態のコーン運搬具１における各構成の作用について説明する。
【００２５】
ベルト２は、作業者Ｐの肩または腰に掛けられる。本実施形態では、図３に示すように、ベルト２を肩に掛けるか、図４に示すように腰に掛けて使用される。また、ベルト２の長さは、長さ調節具２１によって肩掛けか腰掛けによる違いや作業者Ｐの体格の違いに応じて自在に調節される。
【００２６】
ベルト固定機構３は、図５に示すように、ベルト２の一端部に設けられた固定用フック３１を、前記ベルト２の他端部側に設けられた掛止用リング３２に掛止させ、前記ベルト２を作業者Ｐの肩または腰に掛けた状態で固定する。本実施形態における固定用フック３１はラッチ３３を有しており、当該ラッチ３３を押し倒さなければ前記掛止用リング３２から外れない。よって、前記ベルト２が運搬作業中に意図せず外れることはない。
【００２７】
標示具嵌合リング４は、図６に示すように、コーン形標示具Ｃを頂部側から挿入して保持する。このとき、コーン形標示具Ｃは、標示具嵌合リング４に巻かれた滑り止め用部材４１との大きな摩擦によって簡単には滑り落ちない。
【００２８】
また、本実施形態では、標示具嵌合リング４の内周径が、コーン形標示具Ｃの重心点における外周径より大きく形成されている。よって、前記コーン形標示具Ｃを標示具嵌合リング４に挿入すると、前記コーン形標示具Ｃの重心点が標示具嵌合リング４を支えとして頂部側に配置されることとなるため、前記コーン形標示具Ｃは頂部側が重くなって下がり、傾いた状態で安定的に保持される。
【００２９】
よって、作業者Ｐは、前記コーン形標示具Ｃを手で支えずに、または必要であれば片手で支える程度で保持することができ、両手または片手を自由に使用できる。これにより、作業者Ｐは、図７に示すように、例えば自由に使用できる手によって旗を振ることもでき、走行中の運転者に注意喚起しながらコーン形標示具Ｃの運搬作業を行うことができる。
【００３０】
また、運搬作業中において、前記ベルト２に設けられたパット２２が作業者Ｐの肩や腰へのベルト２の食い込みを抑えるため、作業者Ｐの肩や腰への負担が軽減される。
【００３１】
運搬作業後にコーン形標示具Ｃを設置する場合、標示具嵌合リング４からコーン形標示具Ｃを引き抜き、道路上等に設置すればよい。このように、片手で引き抜いて、容易に設置することができる。
【００３２】
また、夜間の作業においては、パット２２に設けられた反射材２３によって自動車の運転手に注意喚起できる。
【００３３】
さらに、図８に示すように、コーン運搬具１は、重ねられた複数個のコーン形標示具Ｃ，Ｃ・・・を一度に保持し、運搬することができる。よって、道路上で作業する時間や回数を減らすことができ、作業負担の軽減と事故リスクの低減を同時に図ることも可能である。
【００３４】
以上のような本実施形態のコーン運搬具１によれば、以下の効果を得ることができる。
コーン形標示具Ｃを両手または片手を自由に使用できる状態で運搬作業および設置作業することができるため、作業者Ｐは旗を振る等の安全行動を取りながら運搬作業を行うことができ、作業効率と安全性を向上させられる。
【００３５】
なお、本考案に係るコーン運搬具１は、前述した一実施形態に限定されるものではなく、適宜変更することができる。
【００３６】
例えば、標示具嵌合リング４は、コーン形標示具Ｃの断面形状に応じて、三角形状や四角形状等に形成されたリングであってもよい。
【符号の説明】
【００３７】
１  コーン運搬具
２  ベルト
３  ベルト固定機構
４  標示具嵌合リング
２１  長さ調節具
２２  パット
２３  反射材
３１  固定用フック
３２  掛止用リング
３３  ラッチ
４１  滑り止め用部材
Ｃ  コーン形標示具
ｃ１  コーン部分  
【図１】
0003195598.tif 000003
【図２】
0003195598.tif 000004
【図３】
0003195598.tif 000005
【図４】
0003195598.tif 000006
【図５】
0003195598.tif 000007
【図６】
0003195598.tif 000008
【図７】
0003195598.tif 000009
【図８】
0003195598.tif 000010